(57)【要約】      （修正有）【課題】解錠用のサムターンを通常時には使用不可とし、非常時に操作可能とさせる非常時解錠サムターン用カバーに関し、堅牢であり、通常時には確実に使用不可とし、非常時には確実かつ非破壊でサムターン操作可能とする。【解決手段】筒形状で両側に第１取付部２３及び第２取付部２４が設けられた第１筒部１３が台座１２に着脱自在に取り付けられ、第２取付部２４の先端部分に、第１筒部１３の内径より小でサムターン対応開口部２６が設けられた押し込み板２５の周側面に少なくとも押し込み方向と逆側にテーパ部２９を有する溝２７が形成されて広がり方向にバネ特性を有するＣ型バネ２８を取り付けた押し込み部１４のＣ型バネ部分を当接させて位置させ、第１筒部１３の第２取付部２４に筒形状の第２筒部１５を着脱自在に取り付ける構成とする。【選択図】図１
2011127371.tif 000002
【特許請求の範囲】
【請求項１】
ドア施錠に付加される解錠用のサムターンを、通常時には使用不可とさせ、非常時には操作可能とさせる非常時解錠サムターン用カバーであって、
筒形状で両側に第１取付部及び第２取付部が設けられ、当該第１取付部でドア側に着脱自在に取り付けられる第１筒部と、
前記第１筒部の内径より小の押し込み板にサムターン対応開口部が設けられるものであり、当該押し込み板の周側面に、少なくとも押し込み方向と逆側にテーパ部を有する溝が形成されて広がり方向にバネ特性を有するＣ型バネが取り付けられ、当該Ｃ型バネ部分が前記第１筒部の第２取付部の先端部分に当接されて位置される押し込み部と、
前記第１筒部の第２取付部に前記押し込み部を内包して着脱自在に取り付けられる筒形状の第２筒部と、
を有することを特徴とする非常時解錠サムターン用カバー。
【請求項２】
請求項１記載の非常時解錠サムターン用カバーであって、前記第１筒部の長さが、前記第２取付部の先端部分に位置された前記押し込み部における押し込み板のサムターン対応開口部内に前記サムターンの先端部分を位置させるべく設定されることを特徴とする非常時解錠サムターン用カバー。
【請求項３】
請求項１又は２記載の非常時解錠サムターン用カバーであって、前記押し込み部における押し込み板の周側面に形成される前記溝に、取り付けられる前記Ｃ型バネの両側にテーパ部が形成されることを特徴とする非常時解錠サムターン用カバー。
【発明の詳細な説明】
【技術分野】
【０００１】
本発明は、解錠用のサムターンを通常時には使用不可とし、非常時に操作可能とさせる非常時解錠サムターン用カバーに関する。
【背景技術】
【０００２】
近年、ドア施錠に付加されているサムターンにカバーを取り付けることが行われている。カバーは、サムターンに対して、通常時使用可能状態で不正侵入者によるピッキング防止のためのいわゆる防犯のためのものと、通常時には使用不可とし、地震や火災などによる停電時のドア締切に対する非常時解錠操作可能とさせるものとがある。サムターンの非常時解錠操作可能とさせるカバーは、通常時には確実に使用不可とし、非常時には確実かつ非破壊でサムターン操作可能とすることが望まれる。
【０００３】
従来、サムターンの非常時解錠操作可能とさせるカバーとして、以下の特許文献１〜３（特許文献３では図９及び図１０）で提案されているものがある。これらカバーは、サムターンやサムターン付ノブに、透明プラスチック等のカバー本体を被せるもので、カバー本体に切り込みが施されたものである。すなわち、通常時にはサムターンはカバーにより覆われて使用不可とされ、非常時にはカバー本体を切り込み部分で割って取り外すことにより当該サムターンの操作を可能としたものである。
【先行技術文献】
【特許文献】
【０００４】
【特許文献１】特開２００９−０７９４４２号公報
【特許文献２】特開２００７−３３２６１１号公報
【特許文献３】特開平１１−２００６９０号公報
【発明の概要】
【発明が解決しようとする課題】
【０００５】
上記特許文献１〜３のカバーは、非常時にカバー本体を割るものであり、通常使用されるドアに用いられる場合には、荷物の搬入、搬出などのときにぶつかり誤ってカバー本体を割ってしまうことがあり、非常時に割られることを前提とした構造が誤って割れ易いことにもつながるという問題がある。また、割られたカバー本体は、再利用することができず、新しいカバー本体を取り付けなければならないこととなって費用が嵩むという問題もある。
【０００６】
そこで、本発明は上記課題に鑑みなされたもので、堅牢であり、通常時には確実に使用不可とし、非常時には確実かつ非破壊でサムターン操作可能とする非常時解錠サムターン用カバーを提供することを目的とする。
【課題を解決するための手段】
【０００７】
上記課題を解決するために、請求項１の発明では、ドア施錠に付加される解錠用のサムターンを、通常時には使用不可とさせ、非常時には操作可能とさせる非常時解錠サムターン用カバーであって、筒形状で両側に第１取付部及び第２取付部が設けられ、当該第１取付部でドア側に着脱自在に取り付けられる第１筒部と、前記第１筒部の内径より小の押し込み板にサムターン対応開口部が設けられるものであり、当該押し込み板の周側面に、少なくとも押し込み方向と逆側にテーパ部を有する溝が形成されて広がり方向にバネ特性を有するＣ型バネが取り付けられ、当該Ｃ型バネ部分が前記第１筒部の第２取付部の先端部分に当接されて位置される押し込み部と、前記第１筒部の第２取付部に前記押し込み部を内包して着脱自在に取り付けられる筒形状の第２筒部と、を有する構成とする。
【０００８】
請求項２，３の発明では、「前記第１筒部の長さが、前記第２取付部の先端部分に位置された前記押し込み部における押し込み板のサムターン対応開口部内に前記サムターンの先端部分を位置させるべく設定される」構成であり、
「前記押し込み部における押し込み板の周側面に形成される前記溝に、取り付けられる前記Ｃ型バネの両側にテーパ部が形成される」構成である。
【発明の効果】
【０００９】
請求項１の発明によれば、筒形状で両側に第１取付部及び第２取付部が設けられた第１筒部がドア側に着脱自在に取り付けられ、当該第２取付部の先端部分に、当該第１筒部の内径より小でサムターン対応開口部が設けられた押し込み板の周側面に少なくとも押し込み方向と逆側にテーパ部を有する溝が形成されて広がり方向にバネ特性を有するＣ型バネを取り付けた押し込み部の当該Ｃ型バネ部分を当接させて位置させ、当該第１筒部の第２取付部に筒形状の第２筒部を着脱自在に取り付ける構成とすることにより、第１筒部や第２筒部に破損させる構成を形成させないことから堅牢であり、また、通常時には確実に使用不可とし、非常時に押し込み板を第１筒部側に押し込むことでサムターンの操作を確実に可能とさせることができ、そのときに何れをも破壊させず、第１筒部及び第２筒部を外して押し込み板にＣ型バネを取り付けて元のサムターンをカバーする状態とすることができることから、再利用を可能として費用の発生を防ぐことができるものである。
【００１０】
請求項２の発明によれば、第１筒部の長さを、第２取付部の先端部分に位置された前記押し込み部における押し込み板のサムターン対応開口部内にサムターンの先端部分を位置させるべく設定することにより、押し込み板の押し込み時にサムターンでサムターン対応開口部がガイドの役割をさせることができ、押し込みの確実性を担保してサムターンの操作を確実に可能とさせることができるものである。
【００１１】
請求項３の発明によれば、押し込み部における押し込み板の周側面に形成される溝に、取り付けられるＣ型バネの両側にテーパ部を形成することにより、押し込み方向に対する押し込み部の第２筒部の先端部分に対する位置を決める必要がなく、組み立てを容易として確実に押し込み可能とさせることができるものである。
【図面の簡単な説明】
【００１２】
【図１】本発明における非常時解錠サムターン用カバーの構成図である。
【図２】図１の非常時解錠サムターン用カバーにおけるサムターンへの取付け状態の説明図（１）である。
【図３】図１の非常時解錠サムターン用カバーにおけるサムターンへの取付け状態の説明図（２）である。
【図４】図１の非常時解錠サムターン用カバーの非常時サムターン操作を可能状態とさせる説明図である。
【発明を実施するための形態】
【００１３】
以下、本発明の実施形態を図により説明する。
図１に、本発明における非常時解錠サムターン用カバーの構成図を示す。本発明の非常時解錠サムターン用カバーは、ドア施錠に付加される解錠用のサムターンを通常時には使用不可とさせ、非常時には操作可能とさせるものであって、図１（Ａ）において、非常時解錠サムターン用カバー１１は、サムターン台座１２、第１筒部１３、押し込み部１４及び第２筒部１５により構成される。サムターン台座１２は、例えば樹脂等で形成され、設けられた開口部２１で後述のサムターンの機構基部に取り付けられるもので、内側周側面に螺合溝２２が形成される。
【００１４】
上記第１筒部１３は、例えばアクリル板などの硬化樹脂又はアルミダイカストなどの金属部材で筒形状で形成され、両端側に第１取付部である第１螺合部２３及び第２取付部である第２螺合部２４が設けられる。当該第１螺合部２３は、上記サムターン台座１２の螺合溝２２に螺合する螺合溝が形成される。なお、ドア側に台座を用いずに、ドア側に螺合溝を直接形成してもよく、又は、第１取付部に螺合溝を形成しないで接着剤等で直接ドアに固定してもよい。また、第２螺合部２４は、後述する第２筒部１５と螺合する螺合溝が形成される。なお、当該第１筒部１３の長さは、組み立てる際に、第２螺合部２４の先端部分に位置された後述する押し込み部１４の押し込み板のサムターン対応開口部内にサムターンの先端部分を位置させるべく設定される（図３で説明する）。
【００１５】
上記押し込み部１４は、図１（Ｂ）に示すように、円盤形状で第１筒部１３の内径より小の押し込み板２６にサムターン対応開口部２７が貫通して設けられる。例えばアクリル板などの硬化樹脂又はアルミダイカストなどの金属部材で形成可能であるが、サムターンを判別し易くさせる意味で透明又は半透明のアクリル樹脂板が好ましい。
【００１６】
また、押し込み板２６の周側面には、図１（Ｃ）に示すように、溝２８が形成され、当該溝２８の一方向（後に、第１筒部１３に位置されたときの押し込み方向）と逆側にテーパ部３０Ａが形成される。この溝２８に、径に対して広がり方向（図１（Ｂ）の空隙を初期形状として広がったり、縮んだりする方向）にバネ特性を有する金属性のＣ型バネ２９が取り付けられる。押し込み板２６に取り付けられた状態の当該Ｃ型バネ２９は、第１筒部１３の内径より大で、第２筒部１５の第２螺合部の内径より小となる。
【００１７】
そして、押し込み板２６に当該Ｃ型バネ２９が取り付けられた押し込み部１４が、当該Ｃ型バネ部分の一方側（上記溝２８のテーパ部３０Ａと反対側）を第１筒部１３の第２螺合部２４の先端部分に当接されて位置されるものである。すなわち、押し込み板２６の押し込み方向と逆側にテーパ部３０Ａが形成されていることによって、当該押し込み板２６の押し込みを可能としている（後述する）。
【００１８】
ところで、上記押し込み板２６の周側面に形成された溝２８は、図１（Ｄ）に示すように、取り付けられるＣ型バネ２９の両側にテーパ部３０Ａ，３０Ｂを形成させてもよい。これによって、非常時に押し込み板２６を押し込んだ場合の後に押し込み部１４を第１筒部１３の第２螺合部２４の先端部分に位置させる際に、当該押し込み部１４の面方向（上記テーパ部の位置）を確かめる必要がなく、組立性を容易とすることができるものである。
【００１９】
上記第２筒部１５は、例えばアクリル板などの硬化樹脂又はアルミダイカストなどの金属部材で筒形状で形成されるもので、内壁の一方側が肉薄とされることで段差２５Ａが形成され、この部分に上記第１筒部１３の第２螺合部２４と螺合する螺合溝２５が形成されたものである。そして、当該第２筒部１５が、第１筒部１３の第２螺合部２４に押し込み部１４を内包して着脱自在に取り付けられるもので、その際に第１筒部１３の第２螺合部２４の先端部分と第２筒部１５の肉薄部分の螺合溝２５の後端で形成された段差部２５Ａとの間に、押し込み部１４のＣ型バネ２９が位置されることになり、第２筒部１５からの抜けが防止される（図４（Ｂ）参照）。
【００２０】
ここで、図２及び図３に、図１の非常時解錠サムターン用カバーにおけるサムターンへの取付け状態の説明図を示す。まず、図２（Ａ）に示すように、ドア３１の施錠に付加されたサムターン３２に対し、サムターン台座１２が開口部２１でサムターンの機構基部３３に挾持される形態で取り付けられる。そこで、図２（Ｂ）に示すように、当該サムターン台座１２の螺合溝２２に第１筒部１３の第１螺合部２３が螺合される。
【００２１】
上記サムターン台座１２に第１筒部１３が螺合された状態で、図２（Ｂ）及び図３（Ａ）に示すように、押し込み部１４が第１筒部１３の第２螺合部２４の先端に当接されて位置される。その際に、第１筒部１３の長さの設定により押し込み部１４の押し込み板２６のサムターン対応開口部２７内にサムターン３２の先端部分が位置される。これによって、押し込み板２６を押し込む場合に、サムターン３２とサムターン対応開口部２７とが相まってガイドの役割をさせることができるものである。
【００２２】
そして、図３（Ｂ）に示すように、第１筒部１３の第２螺合部２４に第２筒部１５の螺合溝２５が螺合されるもので、第２筒部１５内に押し込み部１４が内包された形態となる。この状態を正面から示した場合が図３（Ｃ）である。
【００２３】
そこで、図４に、図１の非常時解錠サムターン用カバーの非常時サムターン操作を可能状態とさせる説明図を示す。図４（Ａ）は通常時の状態であり、このときにはサムターン３２は使用できない状態である。そして、非常時にサムターン３２を操作可能とさせる場合、図４（Ｂ）〜（Ｄ）に示すように、第２筒部１５内に指を入れ、押し込み板２６を第１筒部１３内に押し込む。
【００２４】
押し込み板２６が第１筒部１３内に押し込まれると、テーパ部３０Ａに沿ってＣ型バネ２９が押し広げられて、最終的に、当該押し込み板２６がＣ型バネ２９より外れる。このときに、押し込み板２６がサムターン対応開口部２７でサムターン３２によってガイドされた状態となり、当該押し込み板２６がＣ型バネ２９より外れたときにサムターン３２が指でつまめる操作可能状態となるものである。
【００２５】
当該非常時解錠サムターン用カバー１１が使用された場合、第２筒部１５を第１筒部１３より外すことで、Ｃ型バネ２９が取り出される。また、第１筒部１３をサムターン台座１２より外すことで押し込み板２６が取り出される。そして、押し込み板２６の周側面の溝２２にＣ型バネ２９を取り付け、上記図２及び図３に示すように、第１筒部１３、押し込み部１４及び第２筒部１５を取り付けることによって、当該非常時解錠サムターン用カバー１１が使用可能となるものである。
【００２６】
なお、押し込み板２６の周側面の溝２２が、図１（Ｄ）のように、Ｃ型バネ２９の両側でテーパ部３０Ａ，３０Ｂを形成させた場合であっても、図４（Ｂ）〜（Ｄ）の動作は同様である。
【００２７】
このように、第１筒部１３や第２筒部１５に破損させる構成を形成させないことから堅牢で誤ってぶつかっても破損を防止させることができ、また、通常時には確実に使用不可とし、非常時に押し込み板２６を第１筒部側に押し込むことでサムターン３２の操作を確実に可能とさせることができ、そのときに何れをも破壊させず、第１筒部１３及び第２筒部１５を外して押し込み板２６にＣ型バネ２９を取り付けて元のサムターン３２をカバーする状態とすることができることから、再利用を可能として費用の発生を防ぐことができるものである。
【００２８】
なお、サムターン台座１２への第１筒部１３の取り付け、第１筒部１３への第２筒部１５の取付けを、螺合させて取り付けた場合を示したが、公知の着脱自在の嵌め込み式としてもより。
【産業上の利用可能性】
【００２９】
本発明の非常時解錠サムターン用カバーは、非常時に解錠させるドア錠を製造、使用する産業に利用可能である。
【符号の説明】
【００３０】
１１            非常時解錠サムターン用カバー
１２            サムターン台座
１３            第１筒部
１４            押し込み部
１５            第２筒部
２３            第１螺合部
２４            第２螺合部
２６            押し込み板
２７            サムターン用開口部
２８            溝
２９            Ｃ型バネ
３０Ａ，３０Ｂ  テーパ部
３２            サムターン
【図１】
2011127371.tif 000003
【図２】
2011127371.tif 000004
【図３】
2011127371.tif 000005
【図４】
2011127371.tif 000006